(57)【特許請求の範囲】
【請求項１】
点検用開口部が設けられて天井板の下側に空所を形成して配置された吊天井板と、ロ字状をなす枠体からなり上記吊天井板の上側に配置されて、外縁部の一側が上記吊天井板に枢着され縁部が上記点検用開口部縁部に重合して配置された支持枠と、一側が上記支持枠の上記支持枠枢着縁部側に枢着されて上記支持枠の下側に配置され、縁部が上記点検用開口部に嵌合状態に配置されると共に上記ロ字の内縁部に重合された点検口蓋と、上記支持枠の上記支持枠枢着縁部に対向する縁部の上面寄りに装備されて一側が上記支持枠に係合され他側は上記点検口蓋に着脱自在に係合された係合具と、上記吊天井板の上側に配置されて上記点検用開口部の上記支持枠枢着縁部に対向する縁部に一側が枢着されて上記支持枠に接近する方向に付勢され、他側は上記支持枠の縁部に係合されて、上記吊天井板の下側からの操作による上記支持枠の上方回動変位を所定位置で制限する掛止具とを備えたエレベーターかごの天井装置。
【請求項２】
一方によって吊天井板に支持枠を枢着し、他方によって上記支持枠に点検口蓋を枢着した二重蝶番を備えたことを特徴とする請求項１記載のエレベーターかごの天井装置。
【請求項３】
支持枠の吊天井板に対する枢着部と対向する縁部から上方に突設されて上端が上記支持枠の中心寄りに傾斜して形成され、傾斜姿勢の係合具が挿通されて点検口蓋に着脱自在に係合する取付板を備えたことを特徴とする請求項１及び請求項２のいずれか一つに記載のエレベーターかごの天井装置。
【請求項４】
掛止具を、逆Ｌ字状をなし支持枠の吊天井板に対する枢着部と対向する点検用開口部の縁部に一側が枢着され、常時は直立位置に保持されて上記支持枠に接近する方向に付勢されたものとし、上記支持枠の上記掛止具に対向する縁部に装着されて上記掛止具の上面を吸着する永久磁石を備えたことを特徴とする請求項１〜請求項３のいずれか一つに記載のエレベーターかごの天井装置。
【請求項５】
掛止具を、上端部が支持枠側へ下向きに屈折されてなる傾斜面を有するものとし、永久磁石を、支持枠に設けられた取付金具の上記掛止具の傾斜面に対応する斜面に装着されたものとしたことを特徴とする請求項４に記載のエレベーターかごの天井装置。
【請求項６】
係合具を、掛け金式クリップからなるものとしたことを特徴とする請求項１、請求項２、請求項４及び請求項５のいずれか一つに記載のエレベーターかごの天井装置。
【請求項７】
係合具を、ばね式ラッチからなるものとしたことを特徴とする請求項１、請求項２、請求項４及び請求項５のいずれか一つに記載のエレベーターかごの天井装置。
【発明の詳細な説明】
【０００１】
【発明の属する技術分野】
この発明は、天井板下面に照明器具等が装着されて、天井板の下側に吊天井板が設けられたエレベーターかごの天井装置に関する。
【０００２】
【従来の技術】
図１１は、例えば実開平５−１９２７３号公報に示された従来のエレベーターかごの天井装置を示すエレベーターかごの縦断側面図である。図において、１はかご、２はかご１の天井板、３は天井板に設けられた蓋付きの非常救出口、４は天井板２の下面に装着された照明器具である。
【０００３】
５は吊天井で、天井板２の下側に空所を形成して配置され、下面の非常救出口３に対向した位置に蓋付きの点検用開口部６が設けられ、また図示が省略してあるが照明用の散光板が設けられている。７は吊天井５の側面に設けられた操作口で、開閉蓋が設けられている。
【０００４】
従来のエレベーターかごの天井装置は上記のように構成され、通常時は非常救出口３及び点検用開口部６がそれぞれの蓋によって閉塞されている。また、点検用開口部６の蓋は図示が省略してあるが吊天井５の上側、すなわち吊天井５下面に露出しない位置に設けられた締結具によって締結されている。そして、照明器具４の点検時に次に述べる作業が行われる。すなわち、作業員が吊天井５の側面に手を入れて、操作口７の開閉蓋を開き、次いで操作口７から点検用開口部６の蓋の締結を解除して、点検用開口部６の蓋が下方に開放される。
【０００５】
【発明が解決しようとする課題】
上記のような従来のエレベーターかごの天井装置では、吊天井５側面の操作口７からの操作によって点検用開口部６蓋の締結が解除される。このため、点検用開口部６の吊天井５面における位置が吊天井５側面寄りに制限される。したがって、吊天井５面における照明用散光板の配置が制約されてデザインの自由度が少なくなり、またかご１壁と吊天井５縁部の間に隙間が欠かせなくなるという問題点があった。
【０００６】
この発明は、かかる問題点を解消するためになされたものであり、吊天井下面における点検用開口部配置位置の制約が少なく、また点検口蓋の締結具が露出しないエレベーターかごの天井装置を得ることを目的とする。
【０００７】
【課題を解決するための手段】
この発明に係るエレベーターかごの天井装置においては、点検用開口部が設けられて天井板の下側に空所を形成して配置された吊天井板と、ロ字状をなす枠体からなり吊天井板の上側に配置されて、外縁部の一側が吊天井板に枢着され縁部が点検用開口部縁部に重合して配置された支持枠と、一側が支持枠の支持枠枢着縁部側に枢着されて支持枠の下側に配置され、縁部が点検用開口部に嵌合状態に配置されると共にロ字の内縁部に重合された点検口蓋と、支持枠の支持枠枢着縁部に対向する縁部の上面寄りに装備されて一側が支持枠に係合され他側は点検口蓋に着脱自在に係合された係合具と、吊天井板の上側に配置されて点検用開口部の支持枠枢着縁部に対向する縁部に一側が枢着されて支持枠に接近する方向に付勢され、他側は支持枠の縁部に係合されて、吊天井板の下側からの操作による支持枠の上方回動変位を所定位置で制限する掛止具とが設けられる。
【０００８】
また、この発明に係るエレベーターかごの天井装置においては、一方によって吊天井板に支持枠を枢着し、他方によって支持枠に点検口蓋を枢着した二重蝶番が設けられる。
【０００９】
また、この発明に係るエレベーターかごの天井装置においては、支持枠の吊天井板に対する枢着部と対向する縁部から上方に突設されて上端が支持枠の中心寄りに傾斜して形成され、傾斜姿勢の係合具が挿通されて点検口蓋に着脱自在に係合する取付板が設けられる。
【００１０】
また、この発明に係るエレベーターかごの天井装置においては、逆Ｌ字状をなし支持枠の吊天井板に対する枢着部と対向する点検用開口部の縁部に一側が枢着され、常時は直立位置に保持されて支持枠に接近する方向に付勢された掛止具が設けられ、また支持枠の掛止具に対向する縁部に装着されて掛止具の上面を吸着する永久磁石が設けられる。
【００１１】
また、この発明に係るエレベーターかごの天井装置においては、上端部が支持枠側へ下向きに屈折されてなる傾斜面を有する掛止具が設けられ、また支持枠に設けられた取付金具の掛止具の傾斜面に対応する斜面に装着された永久磁石が設けられる。
【００１２】
また、この発明に係るエレベーターかごの天井装置においては、掛け金式クリップからなる係合具が設けられる。
【００１３】
また、この発明に係るエレベーターかごの天井装置においては、ばね式ラッチからなる係合具が設けられる。
【００１４】
【発明の実施の形態】
実施の形態１．
図１〜図４は、この発明の実施の形態の一例を示す図で、図１はエレベーターかごの縦断側面図、図２は図１のＡ部拡大図、図３は図１の点検口蓋の開放作業を説明する図、図４は図３の次の点検口蓋の開放作業を説明する図である。図において、１はかご、２はかご１の天井板、３は天井板に設けられた蓋付きの非常救出口、４は天井板２の下面に装着された照明器具である。
【００１５】
８は吊天井板で、天井板２の下側に空所を形成して配置され、非常救出口３に対向した位置に点検用開口部９が設けられている。１０は支持枠で、ロ字状をなす枠体からなり吊天井板８の上側に配置されて、外縁部の一側が吊天井板８に設けられた取付金具１１に第一蝶番１２によって枢着され、縁部が点検用開口部９縁部に重合して配置されている。
【００１６】
１３は点検口蓋で、支持枠１０の第一蝶番１２と同側の縁部が第二蝶番１４によって支持枠１０に枢着されて支持枠１０の下側に配置され、縁部が点検用開口部９に嵌合状態に配置されると共に、支持枠１０のロ字の内縁部に重合されている。１５は係合具で、つまみ付きボルトからなり支持枠１０の第一蝶番１２に対向した縁部に上方から挿通されている。１６は締結金具で、係合具１５の直下に配置されて点検口蓋１３の縁部から突設され、係合具１５がねじ込まれる。
【００１７】
１７は掛止具で、吊天井板８の上側に配置されて、点検用開口部９における係合具１５の配置位置と同側の縁部に、ばね付き蝶番１８によって枢着されて図２において下方に付勢され、回動端には下向きの鉤部１９が設けられている。２０は掛止部で、支持枠１０の掛止具１７に対応した縁部が上方に屈折されて形成されて、内側の隅部に掛止具１７の鉤部１９先端が配置される。２１は照明器具４の点検時等に使用されるドライバー等の操作具である。
【００１８】
上記のように構成されたエレベーターかごの天井装置において、常時は支持枠１０の縁部が吊天井板８の点検用開口部９の縁部に支持される。また、点検口蓋１３は係合具１５により支持枠１０に締結されて点検用開口部９に嵌合状態に装着される。また、支持枠１０の縁部が下向きに付勢された掛止具１７に押圧されて、昇降時にかご１の生じる振動によって支持枠１０が上下動することに起因する騒音の発生が防止される。
【００１９】
そして、天井板２と吊天井板８の間の空所に設けられた照明器具４の点検時には次に述べる作業が行われる。すなわち、かご１内から掛止具１７の下向き付勢力に抗して点検口蓋１３が押し上げられて、吊天井板８の点検用開口部９における掛止具１７側の縁部と点検口蓋１３の間に空隙が形成される。この状態では掛止具１７が上方に回動するものの、鉤部１９が支持枠１０の掛止部２０に係合する。このため、支持枠１０の上方回動変位が所定位置で制限される。
【００２０】
これによって、押し上げられた支持枠１０、点検口蓋１３が照明器具４に当たって損壊する等の不具合を防ぐことができる。次いで、点検用開口部９と点検口蓋１３の間の空隙から操作具２１が挿入されて、図３に示す状態によって掛止具１７のみを押し上げて支持枠１０の掛止部２０との係合が解除される。そして、支持枠１０等をさらに上方に回動して、点検用開口部９と点検口蓋１３の間の空隙を広げて手を挿入して係合具１５を回動して支持枠１０と点検口蓋１３の締結が解除される。
【００２１】
これにより、図４に示す状態を経て支持枠１０が点検用開口部９縁部に支持され、また点検口蓋１３は下垂状態に配置されて照明器具４の点検作業用空所が形成される。このような点検口蓋１３等によるエレベーターかごの天井装置の構造により、吊天井板８下面に点検口蓋１３の締結具が露出しない構造であって、吊天井板８下面における点検用開口部９配置位置の制約が減少する。したがって、かご１壁と吊天井板８縁部の間における要件としての隙間の必要性が解消することとも相俟って、デザインの自由度を向上することができる。
【００２２】
実施の形態２．
図５は、この発明の他の実施の形態の一例を示す前述の図２の要部を拡大して示す相当図である。なお、図５の他は前述の図１〜図４の実施の形態と同様にエレベーターかごの天井装置が構成されている。図において、図１〜図４と同符号は相当部分を示し、２２は第一蝶番１２及び第二蝶番１４を形成した二重蝶番である。
【００２３】
上記のように構成されたエレベーターかごの天井装置においても、支持枠１０、点検口蓋１３、係合具１５及び掛止具１７が設けられる。したがって、詳細な説明を省略するが図５の実施の形態においても、図１〜図４の実施の形態と同様な作用が得られる。また、図５の実施の形態において二重蝶番２２によって第一蝶番１２及び第二蝶番１４が形成されるので、部品数が減少して製作費を低減することができる。
【００２４】
実施の形態３．
図６も、この発明の他の実施の形態の一例を示す前述の図２の要部を拡大して示す相当図である。なお、図６の他は前述の図１〜図４の実施の形態と同様にエレベーターかごの天井装置が構成されている。図において、図１〜図４と同符号は相当部分を示し、２３は取付板で、支持枠１０の第一蝶番１２と対向する縁部から上方に突設され、上端が支持枠１０の中心寄りに傾斜して形成され係合具１５が傾斜して挿通されている。
【００２５】
上記のように構成されたエレベーターかごの天井装置においても、支持枠１０、点検口蓋１３、係合具１５及び掛止具１７が設けられる。したがって、詳細な説明を省略するが図６の実施の形態においても、図１〜図４の実施の形態と同様な作用が得られる。
【００２６】
また、図６の実施の形態において係合具１５が傾斜して設けられるので、点検口蓋１３を押し上げた前述の図４に示す状態における点検口蓋１３と吊天井板８との隙間の高さが低くても、係合具１５を容易に操作することができる。このため、天井板２と吊天井板８の間隔を短くすることができ、かご１における吊天井位置を高くすることができて、デザインの自由度を向上することができる。
【００２７】
実施の形態４．
図７も、この発明の他の実施の形態の一例を示す前述の図２の要部を拡大して示す相当図である。なお、図７の他は前述の図１〜図４の実施の形態と同様にエレベーターかごの天井装置が構成されている。図において、図１〜図４と同符号は相当部分を示し、２４は逆Ｌ字状をなす掛止具で、吊天井板８における点検用開口部９の支持枠１０の第一蝶番１２と対向する縁部に設けられて、ばね付き蝶番１８によって付勢されて図７に示すように常時は直立姿勢に保持される。
【００２８】
２５は支持枠１０の掛止具２４との対向位置に配置された永久磁石で、取付金具によって掛止具２４の上面と対面して装着されて、常時は掛止具２４の上面を吸着する。なお、照明器具４の点検時には永久磁石２５による掛止具２４の吸着力に抗して点検口蓋１３が押し上げられる。
【００２９】
上記のように構成されたエレベーターかごの天井装置においても、支持枠１０、点検口蓋１３、係合具１５及び掛止具２４が設けられる。したがって、詳細な説明を省略するが図７の実施の形態においても、図１〜図４の実施の形態と同様な作用が得られる。また、点検口蓋１３を押し上げた状態において掛止具２４による支持枠１０の保持を容易に解除することができる。このため、点検用開口部９を開放する操作の手数を省くことができて、点検用開口部９による作業を容易化することができる。
【００３０】
実施の形態５．
図８も、この発明の他の実施の形態の一例を示す前述の図２の要部を拡大して示す相当図である。なお、図８の他は前述の図１〜図４の実施の形態と同様にエレベーターかごの天井装置が構成されている。図において、図１〜図４、図７と同符号は相当部分を示す。
【００３１】
２６は掛止具で、吊天井板８における点検用開口部９の支持枠１０の第一蝶番１２と対向する縁部に設けられて、上端部が支持枠１０側へ下向きに屈折されて傾斜面が形成され、ばね付き蝶番１８によって付勢されて図８に示すように常時は直立姿勢に保持される。
【００３２】
２５は支持枠１０の掛止具２６との対向位置に配置された永久磁石で、取付金具によって掛止具２６の屈折面と対面して装着されて、常時は掛止具２６の屈折面を吸着する。なお、照明器具４の点検時には永久磁石２５による掛止具２６の吸着力に抗して点検口蓋１３が押し上げられる。
【００３３】
上記のように構成されたエレベーターかごの天井装置においても、支持枠１０、点検口蓋１３、係合具１５及び掛止具２６が設けられる。したがって、詳細な説明を省略するが図８の実施の形態においても、図１〜図４の実施の形態と同様な作用が得られる。
【００３４】
なお、図８の実施の形態において照明器具４の点検終了後に、支持枠１０を常時位置に復帰するときに、操作具２１を挿入して掛止具２６を図８に鎖線で示す姿勢に保持せずに、支持枠１０を常時位置に復帰することができる。そして、自動的に掛止具２６が直立姿勢に復帰した状態で永久磁石２５に吸着するので、照明器具４の点検作業時の手数を省くことができる。
【００３５】
実施の形態６．
図９も、この発明の他の実施の形態の一例を示す前述の図２の要部を拡大して示す相当図である。なお、図９の他は前述の図１〜図４の実施の形態と同様にエレベーターかごの天井装置が構成されている。図において、図１〜図４と同符号は相当部分を示し、２７は掛け金式クリップからなる係合具で、基部が支持枠１０の第一蝶番１２と対向する縁部に装着されて、掛け金部２８が点検口蓋１３に設けられた鉤金具２９に掛合される。
【００３６】
上記のように構成されたエレベーターかごの天井装置においても、支持枠１０、点検口蓋１３、係合具２７及び掛止具１７が設けられる。したがって、詳細な説明を省略するが図９の実施の形態においても、図１〜図４の実施の形態と同様な作用が得られる。
【００３７】
なお、図９の実施の形態において掛け金式クリップからなる係合具２７が設けられるので、点検口蓋１３を押し上げた前述の図４に示す状態における点検口蓋１３と吊天井板８との隙間の高さが低くても、係合具２７を容易に操作することができる。このため、天井板２と吊天井板８の間隔を短くすることができ、かご１における吊天井位置を高くすることができて、デザインの自由度を向上することができる。
【００３８】
実施の形態７．
図１０も、この発明の他の実施の形態の一例を示す前述の図２の要部を拡大して示す相当図である。なお、図１０の他は前述の図１〜図４の実施の形態と同様にエレベーターかごの天井装置が構成されている。図において、図１〜図４と同符号は相当部分を示し、３０はばね式ラッチからなる係合具で、基部が支持枠１０の第一蝶番１２と対向する縁部に装着されて、掛止部３１が点検口蓋１３に設けられた掛止片３２の貫通孔３３に掛合される。
【００３９】
上記のように構成されたエレベーターかごの天井装置においても、支持枠１０、点検口蓋１３、係合具３０及び掛止具１７が設けられる。したがって、詳細な説明を省略するが図１０の実施の形態においても、図１〜図４の実施の形態と同様な作用が得られる。
【００４０】
なお、図１０の実施の形態においてばね式ラッチからなる係合具３０が設けられるので、点検口蓋１３を押し上げた前述の図４に示す状態における点検口蓋１３と吊天井板８との隙間の高さが低くても、係合具３０を容易に操作することができる。このため、天井板２と吊天井板８の間隔を短くすることができ、かご１における吊天井位置を高くすることができて、デザインの自由度を向上することができる。
【００４１】
【発明の効果】
この発明は以上説明したように、点検用開口部が設けられて天井板の下側に空所を形成して配置された吊天井板と、ロ字状をなす枠体からなり吊天井板の上側に配置されて、外縁部の一側が吊天井板に枢着され縁部が点検用開口部縁部に重合して配置された支持枠と、一側が支持枠の支持枠枢着縁部側に枢着されて支持枠の下側に配置され、縁部が点検用開口部に嵌合状態に配置されると共にロ字の内縁部に重合された点検口蓋と、支持枠の支持枠枢着縁部に対向する縁部の上面寄りに装備されて一側が支持枠に係合され他側は点検口蓋に着脱自在に係合された係合具と、吊天井板の上側に配置されて点検用開口部の支持枠枢着縁部に対向する縁部に一側が枢着されて支持枠に接近する方向に付勢され、他側は支持枠の縁部に係合されて、吊天井板の下側からの操作による支持枠の上方回動変位を所定位置で制限する掛止具とを設けたものである。
【００４２】
これによって、吊天井板の点検用開口部を開放するときにかご内から掛止具の下向き付勢力に抗して点検口蓋が押し上げられて、吊天井板の点検用開口部における掛止具側の縁部と点検口蓋の間に空隙が形成される。この状態では掛止具が上方に回動するものの、掛止具の鉤部が支持枠の掛止部に係合するので、支持枠の上方回動変位を所定位置で制限される。これによって、押し上げられた支持枠等が天井板に装着された照明器具等に当たって損壊する等の不具合を防ぐことができる。次いで、点検用開口部と点検口蓋の間の空隙から操作具が挿入されて、掛止具のみを押し上げて支持枠の掛止部との係合が解除される。そして、支持枠等をさらに上方に回動して、点検用開口部と点検口蓋の間の空隙を広げて手を挿入して係合具を操作して支持枠と点検口蓋の締結が解除される。これにより、支持枠が点検用開口部縁部に支持され、また点検口蓋は下垂状態に配置されて点検用開口部が開放される。このようなエレベーターかごの天井装置の構造により、吊天井板下面に点検口蓋の締結具が露出しない構造であって、吊天井板下面における点検用開口部配置位置の制約が減少する。したがって、かご壁と吊天井板縁部の間における要件としての隙間の必要性が解消することとも相俟って、デザインの自由度を向上する効果がある。
【００４３】
また、この発明は以上説明したように、一方によって吊天井板に支持枠を枢着し、他方によって支持枠に点検口蓋を枢着した二重蝶番を設けたものである。
【００４４】
これによって、二重蝶番によって吊天井板に支持枠が枢着され、支持枠に点検口蓋が枢着される。このため、吊天井下面における点検用開口部配置の制約が少なく、また点検口蓋の締結具が露出しない構成のエレベーターかごの天井装置の部品数が減少し製作費を低減する効果がある。
【００４５】
また、この発明は以上説明したように、支持枠の吊天井板に対する枢着部と対向する縁部から上方に突設されて上端が支持枠の中心寄りに傾斜して形成され、傾斜姿勢の係合具が挿通されて点検口蓋に着脱自在に係合する取付板を設けたものである。
【００４６】
これによって、係合具が傾斜して設けらて点検口蓋を押し上げた状態における点検口蓋と吊天井板との隙間の高さが低くても、係合具を容易に操作することができる。このため、天井板と吊天井板の間隔を短くでき、かごにおける吊天井位置を高くすることができて、デザインの自由度を向上する効果がある。
【００４７】
また、この発明は以上説明したように、逆Ｌ字状をなし支持枠の吊天井板に対する枢着部と対向する点検用開口部の縁部に一側が枢着され、常時は直立位置に保持されて支持枠に接近する方向に付勢された掛止具を設け、また支持枠の掛止具に対向する縁部に装着されて掛止具の上面を吸着する永久磁石を設けたものである。
【００４８】
これによって、支持枠が掛止具及び掛止具に吸着する永久磁石によって常時は所定位置に保持され、点検口蓋を押し上げた状態において掛止具による支持枠の保持を容易に解除することができる。このため、点検用開口部を開放する操作の手数を省くことができ、点検用開口部による作業を容易化する効果がある。
【００４９】
また、この発明は以上説明したように、上端部が支持枠側へ下向きに屈折されてなる傾斜面を有する掛止具を設け、また支持枠に設けられた取付金具の掛止具の傾斜面に対応する斜面に装着された永久磁石を設けたものである。
【００５０】
これによって、支持枠が掛止具及び掛止具に吸着する永久磁石によって常時は所定位置に保持され、点検口蓋を押し上げた状態において掛止具による支持枠の保持を容易に解除することができる。また、操作具により掛止具を反支持枠方向に変位せずに支持枠を常時位置に復帰することができる。このため、点検用開口部の開放及び復帰の操作手数を省くことができ、点検用開口部による作業を容易化する効果がある。
【００５１】
また、この発明は以上説明したように、掛け金式クリップからなる係合具を設けたものである。
【００５２】
これによって、掛け金式クリップからなる係合具であるので、点検口蓋を押し上げた状態における点検口蓋と吊天井板との隙間の高さが低くても、係合具を容易に操作することができる。このため、天井板と吊天井板の間隔を短くでき、かごにおける吊天井位置を高くすることができて、デザインの自由度を向上する効果がある。
【００５３】
また、この発明は以上説明したように、ばね式ラッチからなる係合具を設けたものである。
【００５４】
これによって、ばね式ラッチからなる係合具であるので、点検口蓋を押し上げた状態における点検口蓋と吊天井板との隙間の高さが低くても、係合具を容易に操作することができる。このため、天井板と吊天井板の間隔を短くでき、かごにおける吊天井位置を高くすることができて、デザインの自由度を向上する効果がある。
【図面の簡単な説明】
【図１】  この発明の実施の形態１を示す図で、エレベーターかごの縦断側面図。
【図２】  図１のＡ部拡大図。
【図３】  図１の点検口蓋の開放作業を説明する図。
【図４】  図３の次の点検口蓋の開放作業を説明する図。
【図５】  この発明の実施の形態２を示す図で、前述の図２の要部を拡大して示す相当図。
【図６】  この発明の実施の形態３を示す図で、前述の図５相当図。
【図７】  この発明の実施の形態４を示す図で、前述の図５相当図。
【図８】  この発明の実施の形態５を示す図で、前述の図５相当図。
【図９】  この発明の実施の形態６を示す図で、前述の図５相当図。
【図１０】  この発明の実施の形態７を示す図で、前述の図５相当図。
【図１１】  従来のエレベーターかごの天井装置を示すエレベーターかごの縦断側面図。
【符号の説明】
２  天井板、８  吊天井板、９  点検用開口部、１０  支持枠、１３  点検口蓋、１５  係合具、１７  掛止具、２２  二重蝶番、２３  取付板、２４  掛止具、２５  永久磁石、２６  掛止具、２７  係合具、３０  係合具。
【図１】
0004481430.tif 000002
【図２】
0004481430.tif 000003
【図３】
0004481430.tif 000004
【図４】
0004481430.tif 000005
【図５】
0004481430.tif 000006
【図６】
0004481430.tif 000007
【図７】
0004481430.tif 000008
【図８】
0004481430.tif 000009
【図９】
0004481430.tif 000010
【図１０】
0004481430.tif 000011
【図１１】
0004481430.tif 000012